(57)【要約】【課題】電力需要の変化に応じフレキシブルに電力料金を変えることができる電力量測定システムならびに電力量計を提供する。【解決手段】温度・湿度等の環境データをもとに次の時間帯の電力需要を予測し、電力料金区分を選択し、当該電力料金区分に従い電力量の計量を行うようにした。【選択図】  図１
2008122158.tif 000002
【特許請求の範囲】
【請求項１】
電力需要を予測する電力需要予測手段と、
前記電力需要予測手段にて予測された電力需要に応じ単位時間毎の電力料金区分を選択する電力料金区分選択手段と、
前記電力料金区分選択手段により決定された電力料金区分を指示する指示手段と
を具備したセンタ装置と、
被測定系の電力量を測定する電力量測定手段と、
前記電力量測定手段により測定された電力量を、前記センタ装置の指示手段から指示された電力料金区分に合わせた単位時間毎の電力量として集計する計量手段と
を具備した電力量計と
を有することを特徴とする電力量測定システム。
【請求項２】
電力需要家周辺の環境状態を測定し環境データを作成する環境測定手段と、
前記環境測定手段により作成された環境データを送信する送信手段と
を具備した環境測定装置と、
前記環境測定装置により送信された環境データに基づき電力需要を予測する電力需要予測手段と、
前記電力需要予測手段にて予測された電力需要に応じ単位時間毎の電力料金区分を選択する電力料金区分選択手段と、
前記電力料金区分選択手段により決定された電力料金区分を指示する指示手段と
を具備したセンタ装置と、
被測定系の電力量を測定する電力量測定手段と、
前記電力量測定手段により測定された電力量を、前記センタ装置の指示手段から指示された電力料金区分に合わせた単位時間毎の電力量として集計する計量手段と
を具備した電力量計と
を有することを特徴とする電力量測定システム。
【請求項３】
電力需要家周辺の環境状態を測定し環境データを作成する環境測定手段と、
前記環境測定手段により作成された環境データを送信する送信手段と
を具備した環境測定装置と、
前記環境測定装置により送信された環境データに基づき電力需要を予測する電力需要予測手段と、
前記電力需要予測手段にて予測された電力需要に応じ単位時間毎の電力料金区分を選択する電力料金区分選択手段と、
前記電力料金区分選択手段により決定された電力料金区分を指示する指示手段と
を具備したセンタ装置と、
被測定系の電力量を測定する電力量測定手段と、
前記電力量測定手段により測定された電力量を、前記センタ装置の指示手段から指示された電力料金区分に合わせた単位時間毎の電力量として集計する計量手段と
を具備した電力量計と、
電力需要家に設置され前記センタ装置の指示手段により指示された電力料金区分を電力需用家に報知する報知手段を具備した報知装置と
を有することを特徴とする電力量測定システム。
【請求項４】
前記電力需要予測手段は温度と湿度のうち少なくとも１つの測定値から電力需要を予測することを特徴とする請求項１乃至３のいずれか１項記載の電力量測定システム。
【請求項５】
前記電力需要予測手段は温度と湿度の相関関係を表す温湿度パターン換算表を具備したことを特徴とする請求項１乃至３のいずれか１項記載の電力量測定システム。
【請求項６】
前記電力料金区分選択手段は前記温湿度パターン換算表により選択された温湿度パターンと時間帯との関係から電力料金区分を決定する電力料金区分換算表を
具備したことを特徴とする請求項５項記載の電力量測定システム。
【請求項７】
電力需要を予測する電力需要予測手段と、
前記電力需要予測手段にて予測した電力需要に応じ単位時間毎の電力料金区分を選択する電力料金区分選択手段と、
被測定系の電力量を測定する電力量測定手段と、
前記電力量測定手段により測定された電力量を、前記電力料金区分選択手段にて選択された電力料金区分に合わせた単位時間毎の電力量として集計する計量手段と
を具備したことを特徴とする電力量計。
【請求項８】
電力需要家周辺の環境状態を測定し環境データを作成する環境測定手段と、
前記環境測定手段にて作成された環境データに基づき電力需要を予測する電力需要予測手段と、
前記電力需要予測手段にて予測された電力需要に応じ単位時間毎の電力料金区分を選択する電力料金区分選択手段と、
被測定系の電力量を測定する電力量測定手段と、
前記電力量測定手段により測定された電力量を、前記電力料金区分選択手段にて選択された電力料金区分に合わせた単位時間毎の電力量として集計する計量手段と
を具備したことを特徴とする電力量計。
【請求項９】
前記電力需要予測手段は温度と湿度のうち少なくとも１つの測定値から電力需要を予測することを特徴とする請求項７乃至８のいずれか１項記載の電力量計。
【請求項１０】
前記電力需要予測手段は温度と湿度の相関関係を表す温湿度パターン換算表を具備したことを特徴とする請求項７乃至８のいずれか１項記載の電力量計。
【請求項１１】
前記電力料金区分選択手段は前記温湿度パターン換算表により選択された温湿度パターンと時間帯との関係から電力料金区分を決定する電力料金区分換算表を
具備したことを特徴とする請求項１０項記載の電力量計。
【発明の詳細な説明】
【技術分野】
【０００１】
本発明は被測定系の使用電力量を測定する電力量測定システムおよび電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出した使用量をデータに編集する制御部と、制御部にて編集されたデータを表示する表示部とを具備している。（例えば特許文献１）
【特許文献１】特開２００４−２２６０９４公報（第１０頁、図２）
【発明の開示】
【発明が解決しようとする課題】
【０００３】
近年、エアコンが普及したため、夏場の電力消費は非常に大きいものとなっている。このため、夏場や日中の電力料金を高くする電力料金制度が導入されている。しかし、夏場といえども日ごとに気温は異なり、気温が低い日は電力需要が高くない場合がある。しかし、従来の電力量測定システムでは時々刻々変化する電力の需要に応じ、フレキシブルに電力料金を変えることができなかった。
【０００４】
本発明は、電力需要の変化に応じフレキシブルに電力料金を変えることができる電力量測定システムおよび電力量計を提供することを目的とする。
【課題を解決するための手段】
【０００５】
上記目的を達成するために、本発明による電力量測定システムは、電力需要を予測する電力需要予測手段と、前記電力需要予測手段にて予測された電力需要に応じ単位時間毎の電力料金区分を選択する電力料金区分選択手段と、前記電力料金区分選択手段により決定された電力料金区分を指示する指示手段とを具備したセンタ装置と、被測定系の電力量を測定する電力量測定手段と、前記電力量測定手段により測定された電力量を、前記センタ装置の指示手段から指示された電力料金区分に合わせた単位時間毎の電力量として集計する計量手段とを具備した電力量計とを有することを特徴とする。
【０００６】
また、上記目的を達成するために、本発明による電力量計は、電力需要を予測する電力需要予測手段と、前記電力需要予測手段にて予測した電力需要に応じ単位時間毎の電力料金区分を選択する電力料金区分選択手段と、被測定系の電力量を測定する電力量測定手段と、前記電力量測定手段により測定された電力量を、前記電力料金区分選択手段にて選択された電力料金区分に合わせた単位時間毎の電力量として集計する計量手段と
を具備したことを特徴とする。
【発明の効果】
【０００７】
本発明によれば、電力需要の変化に応じフレキシブルに電力料金を変えることができる電力量測定システムおよび電力量計を提供することができる。
【発明を実施するための最良の形態】
【０００８】
以下、本発明の実施例を説明する。
【実施例１】
【０００９】
本発明による電力量測定システムの実施例１につき図１を参照して説明する。
【００１０】
図１において、１００は伝送路でインターネット回線、電話回線、携帯電話回線、専用線、無線電波等がこれにあたる。
【００１１】
１０１、１０２、１０３は環境測定装置で、温度・湿度を測定し、後述するセンタ装置１４１へ温度・湿度に関するデータを環境データとして伝送する。環境測定装置１０１、１０２、１０３は電力供給会社の営業所管内の電柱等、町の要所に設置される。図１において、当該システムは1例として環境測定装置１０１、１０２、１０３の３台から構成され
ているが、４台以上、または３台未満にて構成されることも可能である。
【００１２】
ここで、環境測定装置１０１の内部構成について図２を参酌して説明する。なお、環境測定装置１０２、１０３の内部は環境測定装置１０１と同様な構成となっている。
【００１３】
図２において、２０１は温度センサで、測温抵抗体等の温度センサにより構成されており、設置された場所の気温を測定する。
【００１４】
２０２は湿度センサで、半導体等からなる湿度センサにより構成されており、設置された場所の湿度を測定する。
【００１５】
２０３は伝送部で半導体等からなるインタフェース回路や無線通信装置により構成されており、外部のインターネット回線、電話回線、携帯電話回線、専用線、無線電波等からな
る伝送路１００に接続され、温度センサ２０１、湿度センサ２０２により測定された温度・湿度に関するデータを環境データとして後述するセンタ装置１４１に伝送する。
【００１６】
次に、図１における１１１、１１２、１１３、１１４、１１５は電力量計で、需要家にて使用される電力量を測定し電力量データとして表示や伝送等にて出力する。ここで電力量データとは例えば1時間等の単位時間ごとの使用電力量を電力料金の異なる例えば1から１０までの電力料金区分に区分けされ作成された電力料金区分毎の使用電力量に関するデータをいう。電力量計１１１、１１２、１１３、１１４、１１５は各単位時間毎の使用電力量を各電力料金区分毎に積算計量する。測定された各単位時間の使用電力量がどの電力料金区分に積算計量されるかは、後述するセンタ装置１４１から伝送にて指示される。当該電力量計１１１、１１２、１１３、１１４、１１５は電力を使用する各需要家１２１、１２２、１２３、１２４、１２５に設置される。図１において、当該システムは1例として
電力量計１１１、１１２、１１３、１１４、１１５の５台から構成されているが、６台以上、または５台未満にて構成されることも可能である。なお、センタ装置１４１と各電力量計１１１、１１２、１１３、１１４、１１５間の伝送路はインターネット、電話回線、携帯電話回線、専用線、無線電波のいずれであっても構わない。
【００１７】
ここで、電力量計１１１の内部構成について図３を参酌して説明する。なお、電力量計１１２、１１３、１１４、１１５の内部は電力量計１１１と同様な構成となっている。
【００１８】
図３において、３０１は電力量測定部でアナログ−デジタル変換器等により構成されており、設置された需要家の使用電流、電圧を検出し被測定系の電力量を測定する。
【００１９】
３０２は記憶部で、ＲＡＭのような半導体メモリにより構成され、電力量測定部３０１で測定された電力量を単位時間帯毎に電力料金区分毎に区分けし電力量データとして記憶する。
【００２０】
３０３は伝送部で半導体等からなるインタフェース回路や無線通信装置により構成されており、外部のインターネット回線、電話回線、携帯電話回線、専用線、無線電波等からな
る伝送路１００に接続され、後述するセンタ装置１４１からの電力料金区分に関する指示を受信する。
【００２１】
３０４は表示部で液晶表示器等により構成されており、電力料金区分毎の電力量である電力量データを、表示する。
【００２２】
３０５は制御部でマイクロコンピュータ等により構成されており、電力量測定部３０１により測定された電力量を電力料金区分に区分けし計量し、電力量データとして記憶部３０２に記憶させるとともに表示部３０４に表示させるように制御を行う。
【００２３】
また、図１における１３１、１３２、１３３、１３４、１３５は報知装置で、通信機能を持ったパーソナルコンピュータや専用機または、テレビジョン受像機やラジオ受信機がこれにあたり、現在の単位時間あたりの電力料金を表示し需要家に報知する。現在の単位時間あたりの電力料金は、後述するセンタ装置１４１から伝送にて指示される。当該報知装置１３１、１３２、１３３、１３４、１３５は電力を使用する各需要家１２１、１２２、１２３、１２４、１２５に設置される。図１において、当該システムは１例として報知装置１３１、１３２、１３３、１３４、１３５の５台から構成されているが、６台以上、または５台未満にて構成されることも可能である。なお、センタ装置１４１と各報知装置１３１、１３２、１３３、１３４、１３５間の伝送路はインターネット、電話回線、携帯電話回線、専用線、無線電波のいずれであっても構わない。電力を使用する需要家は現在の電力料金を把握し、電力の使用を加減する。
【００２４】
１４１はセンタ装置で、コンピュータや専用機がこれにあたり、外部のインターネット回線、電話回線、携帯電話回線、専用線、無線電波等からなる伝送路１００に接続され電力供給会社の営業所等に設置される。
【００２５】
ここでセンタ装置１４１の内部構成について図４を参酌して説明する。
【００２６】
４０１は記憶部で、ＲＡＭのような半導体メモリにより構成され、後述する温湿度パターン換算表を記憶する。
【００２７】
４０２は記憶部で、ＲＡＭのような半導体メモリにより構成され、後述する電力料金区分換算表を記憶する。
【００２８】
４０３は伝送部で半導体等からなるインタフェース回路や無線通信装置により構成されており、外部のインターネット回線、電話回線、携帯電話回線、専用線、無線電波等からな
る伝送路１００に接続され、環境測定装置１０２、１０３、１０４、電力量計１１１、１１２、１１３、１１４、１１５、報知装置１３１、１３２、１３３、１３４、１３５と通信を行う。
【００２９】
４０４は制御部で、マイクロコンピュータ等により構成され、伝送部４０３にて受信された環境測定装置１０１、１０２、１０３の環境データから記憶部４０１に記憶されている温湿度パターン換算表、記憶部４０２に記憶されている電力料金区分換算表から電力料金区分を換算し、伝送部４０３を介し電力量計１１１、１１２、１１３、１１４、１１５に計量すべき電力料金区分を指示する。
【００３０】
次に、本実施例の動作を図５のプログラム構成図を参照しつつ説明する。本プログラムはセンタ装置１４１の制御部４０４内の図示しないプログラムメモリ内に記憶され、制御部４０４の動作を制御している。
【００３１】
環境測定装置１０１、１０２、１０３は電力供給会社管内の電柱等、温度ならびに湿度を測定するのに適した場所に設置され、常時、温度・湿度を測定している。
【００３２】
センタ装置１４１内の制御部４０４は、時計を内部に有しており例えば毎時５分前になると伝送部４０３から伝送路１００を介し、環境測定装置１０１、１０２、１０３からその時点の温度・湿度データを伝送するよう要求する。
【００３３】
センタ装置１４１からデータの伝送を要求された環境測定装置１０１の伝送部２０３は温度センサ２０１により測定された温度データ、湿度センサ２０２により測定された湿度データを伝送路１００を介し、センタ装置１４１に返信する。環境測定装置１０２、１０３も同様に温度データ、湿度データを伝送路１００を介し、センタ装置１４１に返信する。
【００３４】
上記のようにしてセンタ装置１４１は電力供給会社管内各部の温度・湿度データを収集する（ステップ５０１）。
【００３５】
次に、センタ装置１４１内の制御部４０４は、環境測定装置１０１、１０２、１０３から取得した温度データならびに、湿度データをもとに当該伝送時の平均温度ならびに平均湿度を算出する（ステップ５０２）。
【００３６】
次に、センタ装置１４１内の制御部４０４は前記平均温度ならびに平均湿度から温湿度パターンを換算する（ステップ５０３）。ここで温湿度パターンとは温度と湿度の関係から求められるパターンである。温度ならびに湿度が高いほど、人間は不快に感じるため、エアコンを稼動させたいと考える。エアコンを稼動させたいと考える人間の欲求の度合いについて温度・湿度との関連で例えばＡからＪの１０段階で表わされたものを温湿度パターンとする。当該温湿度パターンはセンタ装置１４１内の記憶部４０１に図６に示すような温湿度パターン換算表として記憶されている。制御部４０４は前記平均温度と平均湿度をもとに記憶部４０１に記憶されている温湿度パターン換算表を参照し温湿度パターンを求める。例えば平均温度が３３℃で平均湿度が７５％の場合、温湿度パターンはパターンＨとなる。
【００３７】
次に、センタ装置１４１内の制御部４０４は前記温湿度パターンと電力を使用する時間帯から電力料金区分を換算する（ステップ５０４）。ここで電力料金区分とは温度と湿度の関係から求められる温湿度パターンと電力を使用する時間帯から求められる電力料金を決定する区分である。温度・湿度が高いと人間はエアコンを稼動させたいと考えるが、電力は当然エアコン以外の機器にも使用されるところ、電力需要はエアコンの稼働率のみでは決まらない。例えば、日中や食事時間には電力需要が逼迫し、また夜間は比較的少ない。
【００３８】
すると、電力供給が逼迫している時間帯の電力料金を上げ需要が少ない時間の電力料金を下げる料金体系が望ましい。温湿度パターンと電力使用時間帯の関係から導き出される１から１０の１０段階で表わされた電力需要に関する区分を電力料金区分とする。当該電力料金区分はセンタ装置１４１内の記憶部４０２に図７に示すような電力料金区分換算表として記憶されている。制御部４０４は温湿度パターンと電力を使用する時間帯をもとに記憶部４０２に記憶されている電力料金区分換算表を参照し電力料金区分を求める。例えば１１:００の５分前である１０：５５に、環境測定装置１０１、１０２、１０３から伝送
された環境データをもとに算出された平均温度が３３℃で平均湿度が７５％の場合、温湿度パターンはＨであり、単位時間が１時間である場合、次の電力使用時間帯である１１:
００から１２：００の電力料金区分は区分６となる。なお、電力料金区分が１から１０の順で単位電力量あたりの電力料金は高価になる。
【００３９】
次に、センタ装置１４１内の制御部４０４は、伝送部４０３から伝送路１００を介し、電力量計１１１、１１２、１１３、１１４、１１５に対し、次の時間帯に計量すべき電力料金区分を指示する（ステップ５０５）。例えば１０：５５に電力料金区分６であると判断したセンタ装置内の制御部４０４は、各電力量計１１１、１１２、１１３、１１４、１１５に、次の時間帯である１１：００から１２：００は電力料金区分６で計量するよう指示を行う。
【００４０】
センタ装置１４１から計量すべき電力料金区分を指示された電力量計１１１は伝送部３０３を介して電力料金区分を受信し、制御部３０５は当該電力料金区分に従い電力演算部３０１で測定した電力量の計量動作を行いその電力料金区分毎に、記憶部３０２に記憶させる。また電力料金区分毎に表示部３０４に表示させる。単位時間が１時間である場合の、時間帯と電力料金区分の関係の１例を図８に示す。記憶部３０２は図９に示すように前々月、前月、今月にわけ、電力料金区分毎の使用電力量を記憶している。なお、図９において今月の各電力料金区分の使用電力量は月の半ばであり計量途中である。
【００４１】
電力量計１１２、１１３、１１４、１１５も同様に、電力料金区分の指示を受け当該電力料金区分に従った電力量の計量を行う。
【００４２】
次に、センタ装置１４１内の制御部４０４は、伝送部４０３から伝送路１００を介し、各需要家１２１、１２２、１２３、１２４、１２５に設置されている報知装置１３１、１３２、１３３、１３４、１３５に次の時間帯に使用される電力料金区分を報知する（ステップ５０６）。当該報知は電子メール等により行われ、例えば１０：５５に電力料金区分６であると判断したセンタ装置内の制御部４０４は各報知装置１３１、１３２、１３３、１３４、１３５に次の時間帯である１１：００から１２：００は電力料金区分６で計量する旨報知する。
【００４３】
センタ装置１４１から表示すべき電力料金区分を報知された報知装置１３１、１３２、１３３、１３４、１３５はその表示部に電力料金区分を表示し、需要家に知らせる。
【００４４】
当該ステップ５０１から５０６の動作は単位時間開始５分前に逐次行われる。例えば単位時間が１時間である場合、各時刻５分前にステップ５０１から５０６の動作が行われ、各電力量計はセンタ装置１４１から指示された電力料金区分に従って、次の時間帯に電力量の計量動作を行う。
【００４５】
本実施例を用いれば日ごと、時刻ごとに電力料金を変化させることができる。また時々刻々変化する温度や湿度に応じ、エアコン等の電力需要を予測し、電力需要が大きいと予測される時間帯の電力料金を高価に、また需要が少ない時間帯の電力料金を安価に設定することが可能である。さらに報知装置に現在の時間帯の電力料金がいくらであるか表示することにより、電力料金を需要家に報知することができるとともに、当該電力料金を需要家が認識することにより省エネルギーを啓蒙することが可能である。
【００４６】
以上のように、本実施例を用いれば、電力需要の変化に応じフレキシブルに電力料金を変えることができる電力量測定システムを提供することができる。
【実施例２】
【００４７】
本発明による電力量計の実施例２につき図１０を参照して説明する。実施例２が、実施例１と相違する点は、実施例１では環境測定装置１０１、１０２、１０３にて温度・湿度を測定し、センタ装置１４１にて電力料金区分を選択し各電力量計に対し計量すべき電力料金区分を伝送にて指示していたのに対し、実施例２では電力量計内に温度・湿度を測定する環境測定部を有し、電力量計にて電力料金区分を選択できる点である。
【００４８】
図１０において、６００は電力量計本体である。
【００４９】
６０１は環境測定部で、温度・湿度を測定し、後述する制御部６０９へ温度・湿度に関するデータを環境データとして伝送する。環境測定部６０１は、設置された場所の気温を測定する温度センサ６０２、設置された場所の湿度を測定する湿度センサ６０３から構成されている。
【００５０】
６０４は記憶部で、ＲＡＭのような半導体メモリにより構成され、温湿度パターン換算表を記憶する。
【００５１】
６０５は記憶部で、ＲＡＭのような半導体メモリにより構成され、電力料金区分換算表を記憶する。
【００５２】
６０６は電力量測定部でアナログ−デジタル変換器等により構成されており、設置された需要家の使用電流、電圧を検出し被測定系の電力量を測定する。
【００５３】
６０７は記憶部で、ＲＡＭのような半導体メモリにより構成され、電力量測定部６０６で測定された電力量を単位時間帯毎に電力料金区分毎に区分けし電力量データとして記憶する。
【００５４】
６０８は表示部で液晶表示器等により構成されており、電力料金区分毎の電力量である電力量データを表示する。
【００５５】
６０９は制御部でマイクロコンピュータ等により構成されており、電力量測定部６０６により測定された電力量を電力料金区分に区分けし計量し、電力量データとして記憶部６０７に記憶させるとともに表示部６０８に表示させるように制御を行う。
【００５６】
次に、本実施例の動作を説明する。環境測定部６０１は、常時、温度・湿度を測定している。
【００５７】
制御部６０９は、時計を内部に有しており例えば毎時５分前になると環境測定部６０１からその時点の温度・湿度データを取得する。
【００５８】
次に、制御部６０９は前記温度・湿度データをもとに記憶部６０４に記憶されている温湿度パターン換算表を参照し温湿度パターンを求める。
【００５９】
次に、制御部６０９は温湿度パターンと電力を使用する時間帯をもとに記憶部６０５に記憶されている電力料金区分換算表を参照し電力料金区分を求める。
【００６０】
その後、制御部６０９は当該電力料金区分に従い電力演算部６０６で測定した電力量の計量動作を行いその電力料金区分毎に、記憶部６０７に記憶させる。また電力料金区分毎に表示部６０８に表示させる。
【００６１】
当該動作は単位時間開始５分前に逐次行われる。例えば単位時間が１時間である場合、各時刻５分前に上記動作が行われ、制御部６０９は、判断された電力料金区分に従って、次の時間帯に電力量の計量動作を行う。
【００６２】
本実施例を用いれば日ごと、時刻ごとに電力料金を変化させることができる。また時々刻々変化する温度や湿度に応じ、エアコン等の電力需要を予測し、電力需要が大きいと予測される時間帯の電力料金を高価に、また需要が少ない時間帯の電力料金を安価に設定することが可能である。
【００６３】
以上のように、本実施例を用いれば、電力需要の変化に応じフレキシブルに電力料金を変えることができる電力量計を提供することができる。
【図面の簡単な説明】
【００６４】
【図１】本発明による電力量測定システムの実施例１の構成を示すシステム構成図
【図２】本発明による実施例１の環境測定装置の構成を示す内部構成図
【図３】本発明による実施例１の電力量計の構成を示す内部構成図
【図４】本発明による実施例１のセンタ装置の構成を示す内部構成図
【図５】本発明による実施例１のプログラムの構成を示すプログラム構成図
【図６】本発明による実施例１の温湿度パターンを決定する温湿度パターン換算表
【図７】本発明による実施例１の電力料金区分を決定する電力料金区分換算表
【図８】本発明による実施例１の１日の電力料金区分の一例を示す図
【図９】本発明による実施例１の電力量計内の記憶部に記憶されているデータ
【図１０】本発明による電力量計の実施例２の構成を示す構成図
【符号の説明】
【００６５】
１００    伝送路
１０１、１０２、１０３    環境測定装置
１１１、１１２、１１３、１１４、１１５    電力量計
１２１、１２２、１２３、１２４、１２５    需要家
１３１、１３２、１３３、１３４、１３５    報知装置
１４１    センタ装置
２０１    温度センサ
２０２    湿度センサ
２０３    伝送部
３０１    電力量測定部
３０２    記憶部
３０３    伝送部
３０４    表示部
３０５    制御部
４０１    記憶部
４０２    記憶部
４０３    伝送部
４０４    制御部
６００    電力量計本体
６０１    環境測定部
６０２    温度センサ
６０３    湿度センサ
６０４    記憶部
６０５    記憶部
６０６    電力量測定部
６０７    記憶部
６０８    表示部
６０９    制御部
【図１】
2008122158.tif 000003
【図２】
2008122158.tif 000004
【図３】
2008122158.tif 000005
【図４】
2008122158.tif 000006
【図５】
2008122158.tif 000007
【図６】
2008122158.tif 000008
【図７】
2008122158.tif 000009
【図８】
2008122158.tif 000010
【図９】
2008122158.tif 000011
【図１０】
2008122158.tif 000012